(57)【要約】  【課題】密閉型の照明器具において、器具の重量を変化させずまた、透光性カバーが飛散することを抑制する照明装置を提供する。  【解決手段】器具本体２の強化ガラス２ｅ１の内側には、接着剤２ｅ２によって保護膜２ｅ３が接着されて構成されているおり、器具本体２の蓋体２ｄの開口周辺で接着剤２ｆにより固着している。器具本体と保護膜とを接着させることなく器具本体と透光性カバーと固定するため防水性を保持することができる。さらに、保護膜を器具の内面に形成できるので、砂塵や風雨によって保護膜を傷つける虞が低減される。また、保護膜を接着剤で透光性カバーに固定している構成のため、従来の保護膜のように保護膜とガラスの密着性などを考慮する必要がなく、保護膜の選択の幅が広がる。  【選択図】  図１
2005166628.tif 000002
【特許請求の範囲】
【請求項１】
光源と；
光源を収納し、開口部を有する器具本体と；
開口部に配設され、開口部と接着剤で固定され、少なくとも器具本体の内側に接着された保護膜が形成されたた透光性カバーと；
を具備したことを特徴とする密閉型照明器具。
【発明の詳細な説明】
【技術分野】
【０００１】
本発明は密閉型の照明器具に関する。
【背景技術】
【０００２】
従来から、照明器具の配設されている透光性カバーは、耐熱性、機密性などの特性を有したガラス材料が用いられることが多い。しかしながら、ガラスである場合には外部からの衝撃や振動などによりガラスが破損してしまう虞があった。
【０００３】
このためこのような透光性カバーに用いられるガラス材には、硬質ガラス、強化ガラスなどを用いて、割れにくいガラス材料を使用している。
【０００４】
しかし、強化ガラスは割れにくいものの割れた場合には周囲に飛散する。トンネル内や車道のように車両通行が日夜行われて清掃を行いにくい路面にガラスが飛散することは、飛散したガラスによる二次災害の原因ともなり、好ましくない。
【０００５】
このような点から、トンネル用照明装置の透光性カバーとして、合わせガラスを使用することが考えられる。合わせガラスとは、２枚のガラスを接着層で接着したものであり、合わせガラスが割れた場合でも割れたガラスが接着層に接着した状態に維持されるため、割れたガラスが飛散しないという特徴がある。（特許文献１）
【特許文献１】特開２０００―４８６１２号公報
【発明の開示】
【発明が解決しようとする課題】
【０００６】
しかしながら、透光性カバーに合わせガラスを用いるとガラスが少なくとも２枚必要となるため透光性カバーの重量が重くなってしまう。そうすると器具全体の重量も増加し、器具の取り付けや運搬が煩雑になるまたは、器具の取り付け構造の強化などが必要となる虞もある。
【０００７】
このため、本願発明は、重量を増加させる事なく透光性カバーが割れてしまった場合であっても、周囲に破片が飛散するのを防止できる密閉型の照明装置を提供する事を目的とする。
【課題を解決するための手段】
【０００８】
請求項１の発明の密閉型照明器具は、光源と；光源を収納し、開口部を有する器具本体と；開口部に配設され、開口部と接着剤で固定され、少なくとも器具本体の内側に接着された保護膜が形成されたた透光性カバーと；を具備している。
【０００９】
本発明および以下の各発明において、特に指定しない限り、用語の定義および技術的な意味は次による。
【００１０】
透光性カバーは、強化ガラスおよびポリカーボネイト等の乳白色または透光性プラスチックによって形成される。また、透光性カバーは外面および内面のいずれか一方または両方に、光制御用の手段たとえばプリズム、レンズまたは光拡散用の多数の凸部または凹部などを形成してもよい。また、透光性カバーの外表面に光触媒機能を有する酸化チタンなどの薄膜を塗布することもできる。
【００１１】
透光性カバーは、外側となる面の周辺が器具本体の開口部にシリコンシーラントなどの接着剤によって接着され器具の内部と外部の防水性を保持して密閉している。そして、透光性カバーの内面には、耐熱性接着剤などを介してフッ素系樹脂フィルからなる保護膜を接着して配設している。また、透光性カバーに塗布される接着剤は、透光性カバーの全面に塗布しても部分的に塗布してもよい。光源の熱などによって接着剤が劣化する虞のある場合には、熱の影響の少ない個所のみ接着剤を塗布するようにしても構わない。また、接着テープを透光性カバーの外面および内面の縁部に付着させて保護膜を透光性カバーの縁部で折り返しても構わない。このとき保護膜の接着部の防水性を保持するためフッ素樹脂やアクリル樹脂からなり端面保護テープにて透光性カバーの外面に露出する保護膜や接着剤を覆うように取り付けることも許容する。
【００１２】
光源ランプは、蛍光ランプ、メタルハライドランプまたは高圧ナトリウムランプなどの高圧放電ランプおよび無電極放電ランプのような放電ランプおよびハロゲン電球などの電球等、光源すべてを許容する。光源ランプは、器具本体内に収納され、要すれば光源ランプの光を効果的に反射する反射体を器具本体内に備えることも許容する。
【発明の効果】
【００１３】
本発明によれば、器具開口部と透光性カバーが接着剤によって接着されて防水性を保持している照明装置において、透光性カバーの内面に保護膜が接着されている構造であるため、器具本体と保護膜とを接着させることなく器具本体と透光性カバーと固定するため防水性を保持することができる。さらに、保護膜を器具の内面に形成できるので、砂塵や風雨によって保護膜を傷つける虞が低減される。また、保護膜を接着剤で透光性カバーに固定している構成のため、従来の保護膜のように保護膜とガラスの密着性などを考慮する必要がなく、保護膜の選択の幅が広がる。
【発明を実施するための最良の形態】
【００１４】
本発明の第一の実施形態であるトンネル用照明器具を図を参照して説明する。なお、これらの図中、同一または相当部分には同一符号を付して、重複した説明の記載は省略または簡略化している。
【００１５】
図１は本発明の実施形態に係る例えばトンネル用の照明器具１の正面図、図２は同じく照明器具の拡大断面図である。この図１および図２に示すように照明器具１は、例えばステンレス製等の密閉形の器具本体２内に、その投光開口に対向するように反射体３を配設し、この反射体３に光学的に対向するように屈曲形蛍光ランプ４を配設している。
【００１６】
上記器具本体２は、例えばＪＩＳ  Ｃ８１４０で規定する防噴流用器具本体等の密閉形に構成されており、如何なる方向からの水の直接噴流を受けても有害な影響が出ないように構成されており、複数の取付脚２ａ，２ａ，…を備えたシャーシ２ｂの投光開口端に、パッキン２ｃを介してほぼ長方形の投光開口を有する蓋体２ｄを装着し、この蓋体２ｄの投光開口に透光性カバー２ｅを水密かつ気密に嵌合させ、シリコン系等の接着剤２ｆにより固着している。
【００１７】
蓋体２ｃは、ヒンジ２ｇによりシャーシ２ｂに開閉可能に取り付けられ、ヒンジ２ｆの反対側にシャーシ２ｂに設けられたラッチ２ｈによって閉塞された状態が保持される。このとき、蓋体２ｃによる閉塞縁はパッキンにより水気や粉塵が浸入しないような処理が施されている。また、透光性カバー２ｅには、透明な強化ガラス２ｅ１が使用されている。
【００１８】
シャーシ２ｂの各取付脚２ａには、ネジ穴２ａ１が形成されており、このネジ穴２ａ１を利用してトンネル内壁６などに設けられたステー等の取り付け装置６ａにネジ止めによって固定される。２ｉは、防水コネクタで器具の内部への配線を通しながら気密を保つ構造をしている。
【００１９】
そして、このように構成された器具本体２内部には、主反射体３を配設している。主反射体３は長手方向横断面が凹弧面をなす内面を細長い反射面に形成している。なお、主反射面の長手方向横断面の形状は、凹状であればよく、曲面状、平面の組合せまたは曲面と平面の組合せ等どのような形状であってもよい。但し、長手方向に亘ってその主たる部分が同じ断面形状になっていることが好ましい。また、反射面は鏡面または梨地などに仕上げられており設置場所などに応じて所望の配光が得られるような形状をなしている。
【００２０】
さらに、主反射体３の内側には、屈曲形蛍光ランプ４を配設している。屈曲形蛍光ランプ４は、その軸方向一端側に設けられた片口金４ａをランプソケットに嵌め込むことで固定されている。
【００２１】
屈曲形蛍光ランプ４は、ガラス製等の放電容器、蛍光体層、一対の電極、片口金４ａ等により構成されている。放電容器は、ソーダライムガラス、鉛ガラス等の軟質ガラスや硬質ガラス、石英ガラス等の例えば１本のガラス製円管を一平面上でＵ字状に折曲して１本のＵ字状放電路を形成しており、一対の管状部４ｂ，４ｂおよび連結部４ｃを有し、１つの連続放電路の両端をフレアステムによって封止して軸方向一端部に片口金４ａを形成している。したがって、これら管状部４ｂ，４ｂと連結部４ｃは一平面上に形成されている。
【００２２】
透光性カバー２ｅは、強化ガラス２ｅ１の表面に耐熱性の接着剤２ｅ２が塗布され、その上に１５０μｍ以上の厚みとなるフッ素系樹脂フィルム（４−６−２フッ化ポリマー）である保護膜２ｅ３が接着されて構成されている。このとき、保護膜２ｅ３と透光性カバー２ｅの接着性は、剥離力に換算して２５ｍｍ幅で２０Ｎ以上を有するように接着する事によって飛散防止に十分な効果がある。そして透光性カバーは、器具本体２の蓋体２ｄと透光性カバー２ｅの縁周の全体にシリコン系等の接着剤２ｆにより固着している。さらに、透光性カバー２ｅは器具本体の内側でパッキン２ｅ４を介して押さえ板２ｊによって支持される。押さえ板２ｊはボルト２ｊ１とナット２ｊ２を締結する事によって器具本体２の蓋体２ｄと透光性カバー２ｅおよび押さえ板を固定する。
【００２３】
このように、構成することによって、器具本体２の蓋体２ｄと保護膜２ｅ３とを直接接着させることなく器具本体と透光性カバーと固定するため、保護膜２ｅ３の接着性にかかわらず、防水性を保持することができる。例えば透光性カバー２ｅに接着された保護膜２ｅ３を蓋体２ｄに接着すると蓋体２ｄと透光性カバー２ｅの強化ガラス２ｅ１が直接接着されないので、万が一強化ガラス２ｅ１に接着された保護膜２ｅ３が剥がれてしまう、と器具本体２の防水性が保たれなくなる。特に振動の多い場所に取り付けられる場合は、接着材２ｅ２が振動され保護膜２ｅ３が剥がれてしまう虞が生じる危険があるためトンネルのような場所に設置される照明器具１に適している。さらに、保護膜２ｅ３を器具１の内面に形成できるので、砂塵や風雨によって保護膜２ｅ３を傷つける虞が低減される。また、保護膜２ｅ３を接着剤２ｅ２で強化ガラス２ｅ１に固定している構成のため、従来のように保護膜２ｅ３とガラス２ｅ１の密着性などを考慮する必要がなく、保護膜２ｅ３の選択の幅が広がる利点がある。また、保護膜２ｅ３に保護膜の耐熱性および難燃性を有している４−６−２フッ化ポリマーを使用することによって、内部温度が１００℃以上に上昇するような密閉型の照明器具においても良好な保護特性を維持できる。さらに、保護膜２ｅ３に４−６−２フッ化ポリマーを使用することにより、照明器具１内部の事故により発熱や発火が生じた場合でも、保護膜２ｅ３が発火することなく自己消火作用により被害を拡大することを抑制することができる。
【００２４】
図３の透光性カバー２ｅは、図３と同様に強化ガラス２ｅ１の縁の部分は接着剤２ｅ２を介して保護膜２ｅ３が強化ガラス２ｅ１の縁を覆うように折り返して形成しており、折り返している部分に例えばフッ素樹脂からなる端面保護テープ２ｅ５を保護膜２ｅ３の端部を覆うように重ねている。このように形成することによって、保護膜２ｅ３の端部が透光性カバー２ｅの外面に露出する、または、保護膜２ｅ３が器具本体２の蓋体２ｄに塗布されるシリコン系等の接着剤２ｆと直接接着されることを抑制することができ、保護膜２ｅ３と強化ガラス２ｅ１の接着面および保護膜２ｅ３と蓋体２ｄに塗布されたシリコン系等の接着剤２ｆとの密閉性をさらに向上させることができる。また、このように折り返した場合透光性カバー２ｅの外表面の縁部の接着剤２ｆは省略することもできる。
【００２５】
次に、本発明の第二の実施形態である道路灯になどに用いられる照明器具について、図を参照して説明する。図４は本実施形態に係る道路灯になどに用いられる照明器具１０を下から見た斜視図である。
【００２６】
１０は直線形ポール用の道路灯であり、道路灯１は、開口カバー１０１と、シャーシ１０２から器具本体１００が構成される。開口カバー１０１は、アルミダイキャストで形成された開口カバー部１０３および透光性カバー１０４を備えて、直線形ポール３０の上側に取付けられている。透光性カバー１０４の縁部と開口カバー部１０３の照射開口縁部の間には第１の実施形態と同様接着剤（図示しない）にて接着されている。そうして、シャーシ１０２の下側開口面と開口カバー１０１の上側開口面がパッキン（図示しない）を介して接合され、内部を密閉している。透光性カバー１０４の内側には保護膜（図示しない）が接着されている。
【００２７】
器具本体１０内部には、光源ランプ２０として水銀ランプがソケット（図示しない）を介して配設されている。
【００２８】
本実施形態も第１の実施形態と同様の作用を有する道路灯を提供することができる。
【図面の簡単な説明】
【００２９】
【図１】本発明の第１の実施形態のトンネル用照明器具の正面図。
【図２】同じく断面図。
【図３】他の形態の同じく断面図。
【図４】発明の第二の実施形態道路灯になどに用いられる照明器具を下から見た斜視図。
【符号の説明】
【００３０】
１…トンネル照明装置、  ２…器具本体  ３…主反射体  ４…光源ランプ（屈曲形蛍光ランプ）
２ｅ・・・透光性カバー  ２ｅ１・・・強化ガラス  ２ｅ２・・・接着剤  ２ｅ３・・・保護膜
【図１】
2005166628.tif 000003
【図２】
2005166628.tif 000004
【図３】
2005166628.tif 000005
【図４】
2005166628.tif 000006